(57)【要約】      （修正有）【課題】画像をサムネイル表示で検索しても所望の画像を探すのに時間がかかるという問題を解決する。【解決手段】電子カメラ又は情報処理装置が、記録手段に記録された複数の画像信号を所定の条件に基づいて分別する分別手段と、記録手段に記録された画像信号を表示手段に一覧表示する画像一覧表示、及び、分別手段により分別された条件に属する画像信号のうち少なくとも一つをその条件の代表画像信号として条件毎に指定し、代表画像信号を表示手段に一覧表示する条件一覧表示を択一的に行う一覧表示手段と、操作者の操作に応じて表示手段における表示ページを切り換える表示切換手段とを有し、一覧表示手段は、表示切換手段による表示ページの切り換えに応じて、ページ切り換え前に表示していた画像一覧表示または条件一覧表示の状態を維持したまま、表示する一覧表示の更新を行うようにした。【選択図】図８
2008099262.tif 000002
【特許請求の範囲】
【請求項１】
被写体の像を撮像し画像信号として出力する撮像手段と、
前記画像信号を複数記録する記録手段と、
前記記録手段に記録された前記画像信号を同時に複数表示可能な表示手段と、
前記記録手段に記録された複数の画像信号を所定の条件に基づいて分別する分別手段と、
前記記録手段に記録された前記画像信号を前記表示手段に一覧表示する画像一覧表示、及び、前記分別手段により分別された前記条件に属する前記画像信号のうち少なくとも一つをその条件の代表画像信号として前記条件毎に指定し、前記代表画像信号を前記表示手段に一覧表示する条件一覧表示を択一的に行う一覧表示手段と、
操作者の操作に応じて前記表示手段における表示ページを切り換える表示切換手段と
を有し、
前記一覧表示手段は、前記表示切換手段による表示ページの切り換えに応じて、ページ切り換え前に表示していた前記画像一覧表示または前記条件一覧表示の状態を維持したまま、表示する一覧表示の更新を行う
ことを特徴とする電子カメラ。
【請求項２】
画像信号を複数記録する記録手段と、
前記記録手段に記録された前記画像信号を同時に複数表示可能な表示手段と、
前記記録手段に記録された複数の画像信号を所定の条件に基づいて分別する分別手段と、
前記記録手段に記録された前記画像信号を前記表示手段に一覧表示する画像一覧表示、及び、前記分別手段により分別された前記条件に属する前記画像信号のうち少なくとも一つをその条件の代表画像信号として前記条件毎に指定し、前記代表画像信号を前記表示手段に一覧表示する条件一覧表示を択一的に行う一覧表示手段と、
操作者の操作に応じて前記表示手段における表示ページを切り換える表示切換手段と
を有し、
前記一覧表示手段は、前記表示切換手段による表示ページの切り換えに応じて、ページ切り換え前に表示していた前記画像一覧表示または前記条件一覧表示の状態を維持したまま、表示する一覧表示の更新を行う
ことを特徴とする情報処理装置。
【発明の詳細な説明】
【技術分野】
【０００１】
本発明は電子カメラ及び情報処理装置に関し、更に詳細には記録した画像信号を液晶ディスプレイ上に複数縮小表示するサムネイル表示機能を有する電子カメラ及び情報処理装置に関する。
【背景技術】
【０００２】
従来の電子カメラは、記録した画像を確認する方法の一つとして液晶ディスプレイ上に指定された数のサムネイル画像すなわち記録画像の縮小表示を表示していた。その際の表示順は、最後に記録された画像または最初に記録された画像から順に並べて表示していた。
【発明の開示】
【発明が解決しようとする課題】
【０００３】
上述のように、従来の電子カメラにおいて記録画像のサムネイル表示を行う場合は、最後に記録された画像から順か、最初に記録された画像から順に表示を行っていた。
【０００４】
しかし、この従来の表示では、画像を記録する容量が大きくなると、画像をサムネイル表示で検索しても所望の画像を探すのに時間がかかるという問題が挙げられる。また、記録媒体の容量を全て使用した場合で画像を撮影しようとした際に、不必要な画像を削除するために検索する時間がかかり、必要な画像の撮影機会を逃す場合が生じる。また、サムネイル画像からの検索に必要以上の時間を使用するため、液晶ディスプレイの表示時間が長くなりバッテリーの消耗に影響を与えるという問題がある。
【課題を解決するための手段】
【０００５】
上記問題点を解決するために、請求項１の発明は、電子カメラにおいて、被写体の像を撮像し画像信号として出力する撮像手段と、画像信号を複数記録する記録手段と、記録手段に記録された画像信号を同時に複数表示可能な表示手段と、記録手段に記録された複数の画像信号を所定の条件に基づいて分別する分別手段と、記録手段に記録された画像信号を表示手段に一覧表示する画像一覧表示、及び、分別手段により分別された条件に属する画像信号のうち少なくとも一つをその条件の代表画像信号として条件毎に指定し、代表画像信号を表示手段に一覧表示する条件一覧表示を択一的に行う一覧表示手段と、操作者の操作に応じて表示手段における表示ページを切り換える表示切換手段とを有し、一覧表示手段は、表示切換手段による表示ページの切り換えに応じて、ページ切り換え前に表示していた画像一覧表示または条件一覧表示の状態を維持したまま、表示する一覧表示の更新を行うことを特徴とする。
【０００６】
また、請求項２の発明は、情報処理装置において、画像信号を複数記録する記録手段と、記録手段に記録された画像信号を同時に複数表示可能な表示手段と、記録手段に記録された複数の画像信号を所定の条件に基づいて分別する分別手段と、記録手段に記録された画像信号を表示手段に一覧表示する画像一覧表示、及び、分別手段により分別された条件に属する画像信号のうち少なくとも一つをその条件の代表画像信号として条件毎に指定し、代表画像信号を表示手段に一覧表示する条件一覧表示を択一的に行う一覧表示手段と、操作者の操作に応じて表示手段における表示ページを切り換える表示切換手段とを有し、一覧表示手段は、表示切換手段による表示ページの切り換えに応じて、ページ切り換え前に表示していた画像一覧表示または条件一覧表示の状態を維持したまま、表示する一覧表示の更新を行うことを特徴とする。
【発明の効果】
【０００７】
この発明により、記録手段に画像信号が多量に記録されている場合でも画像信号情報の条件毎の参照、及び、所望の画像信号の検索をより迅速に行うことが可能となる。
【発明を実施するための最良の形態】
【０００８】
以下、本発明の第１実施形態について図１から図１３を用いて説明する。
【０００９】
図１は第１実施形態の電子カメラの構成を示すブロック図である。
【００１０】
図２は第１実施形態の電子カメラにおいて液晶ディスプレイにおけるサムネイル画像の表示エリアをを示す説明図である。
【００１１】
図３は第１実施形態の電子カメラにおけるサムネイル画像の表示画面を示す説明図である。
【００１２】
図４は第１実施形態の電子カメラの制御手順を示すフローチャート図である。
【００１３】
図５は第１実施形態の電子カメラにおけるサムネイル表示設定のメニュー表示例を示す説明図である。
【００１４】
図６は第１実施形態の電子カメラにおいて画面表示枚数毎にサムネイル画像を表示する場合の画像の関係を示す概念図である。
【００１５】
図７は第１実施形態の電子カメラにおいて画像の記録日付毎にサムネイル画像を表示する場合の画像の関係を示す概念図である。
【００１６】
図８は第１実施形態の電子カメラにおいて画面表示枚数毎にサムネイル画像を表示する際の制御手順を示すフローチャート図である。
【００１７】
図９は第１実施形態の電子カメラにおいて画面表示枚数毎にサムネイル画像を表示する場合の表示画面を示す説明図である。
【００１８】
図１０は第１実施形態の電子カメラにおいて画面表示枚数毎に表示されたサムネイル画像から画像を指定して個別表示を行った場合の表示画面を示す説明図である。
【００１９】
図１１は第１実施形態の電子カメラにおいて画像の記録日付毎にサムネイル画像を表示する際の制御手順を示すフローチャート図である。
【００２０】
図１２は第１実施形態の電子カメラにおいて画像の記録日付毎にサムネイル画像を表示する場合の表示画面を示す説明図である。
【００２１】
図１３は第１実施形態の電子カメラにおいて記録日付毎に表示されたサムネイル画像から画像を指定して日付毎の個別表示を行った場合の表示画面を示す説明図である。
【００２２】
まず、第１実施形態の電子カメラ１００の構成について図１、図２及び図３を用いて説明する。
【００２３】
本実施形態の電子カメラ１００は、ＣＣＤ１、ＣＤＳ回路２、Ａ／Ｄ変換器３、ＤＳＰ回路４、圧縮回路５、記録媒体６、ＣＰＵ７、エンコーダ８、液晶ディスプレイ９、サムネイル表示ボタン１０、表示設定ボタン１１、選択ボタン１２、決定ボタン１３、削除ボタン１４から構成される。
【００２４】
ＣＣＤ１は、被写体像の光を撮像し、アナログの画像信号に変換して出力する光電変換素子である。ＣＣＤ１で変換された被写体像のアナログ画像信号はＣＤＳ回路２に出力される。
【００２５】
ＣＤＳ回路２は、ＣＣＤ１から出力されたアナログ画像信号に対して相関二重サンプリングの処理を施すアナログ信号処理回路である。ＣＤＳ回路２で信号処理されたアナログ画像信号はＡ／Ｄ変換器３に出力される。
【００２６】
Ａ／Ｄ変換器３は、ＣＤＳ回路２から出力されたアナログ画像信号をデジタル画像信号に変換する。Ａ／Ｄ変換器３で変換されたデジタル画像信号はＤＳＰ回路４に出力される。
【００２７】
ＤＳＰ回路４は、Ａ／Ｄ変換器３から出力されたデジタル画像信号に対しガンマ変換やホワイトバランス処理等の画像処理を行うための画像処理回路である。画像処理の施されたデジタル画像信号は圧縮回路５に出力される。また、ＤＳＰ回路４は、圧縮回路５から出力されたデジタル画像信号に対して間引き処理を施すことで、液晶ディスプレイ９上に画像信号を複数表示するためのサムネイル画像を作成する。ＤＳＰ回路４における各信号処理動作はＣＰＵ７によって制御される。
【００２８】
圧縮回路５は、ＤＳＰ回路４から出力されたデジタル画像信号に対して、ＪＰＥＧ変換等の信号圧縮処理を行う回路である。圧縮回路５による信号圧縮処理は、デフォルトで設定された圧縮率で圧縮を行うＢＡＳＩＣモードや、ＢＡＳＩＣモードよりも低い圧縮率で圧縮を行うＦＩＮＥモードといった具合に、用途に応じて複数の圧縮率による圧縮処理が選択可能となっている。圧縮処理されたデジタル画像信号はメモリ６に出力される。また、圧縮回路５は、記録媒体６から読み出された圧縮処理されたデジタル画像信号を伸長する。圧縮回路５における圧縮及び伸長はＣＰＵ７によって制御される。
【００２９】
記録媒体６は、圧縮回路５から出力された画像信号を記録する。記録媒体６の例としては、ハードディスク、フロッピーディスク、半導体メモリやメモリカード等が挙げられる。記録媒体６における画像信号の記録及び読み出しは、ＣＰＵ７によって制御される。
【００３０】
ＣＰＵ７は、上述のＣＣＤ１、ＣＤＳ回路２、Ａ／Ｄ変換器３、ＤＳＰ回路４による被写体像の撮像動作を制御する。またＣＰＵ７は、圧縮回路５、メモリ６によるデジタル画像信号の記録動作を制御する。またＣＰＵ７は、後述するエンコーダ８、液晶ディスプレイ９によるデジタル画像信号の再生動作を制御する。またＣＰＵ７は、後述するサムネイル表示ボタン１０の入力に応答して記録媒体６に記録された画像信号の縮小画像であるサムネイル画像をＤＳＰ回路４において作成させ液晶ディスプレイ９上に表示する。またＣＰＵ７は、表示設定ボタン１１の入力に基づいて液晶ディスプレイ９上にサムネイル画像表示設定のメニューを表示させる。第１実施形態においては、ＣＰＵ７は、図２に示すように液晶ディスプレイ９を表示エリア０から表示エリア５の６個の表示領域に分割し、それぞれの表示領域に１つずつサムネイル画像を記録順に表示させる。第１実施形態におけるサムネイル画像の表示例を図３に示す。図３に示すように、本実施形態のサムネイル画像表示画面においては、液晶ディスプレイ９上にサムネイル画像２１、２２、２３、２４、２５、２６及びそのコマ番号ＰＩＣ０１、ＰＩＣ０２、ＰＩＣ０３、ＰＩＣ０４、ＰＩＣ０５、ＰＩＣ０６及び選択カーソルＳが表示される。コマ番号ＰＩＣ０１、ＰＩＣ０２、ＰＩＣ０３、ＰＩＣ０４、ＰＩＣ０５、ＰＩＣ０６はそれぞれが１枚目、２枚目、３枚目、４枚目、５枚目、６枚目に記録された画像信号であることを示している。また、選択カーソルＳは現在の選択位置を示すためのカーソル表示である。選択カーソルＳは選択ボタン１２の入力に応じて表示画面上のサムネイル画像毎に移動する。
【００３１】
エンコーダ８は、後述する輝度検出回路２０から出力されたデジタル画像信号を液晶ディスプレイ９の表示用に変換するためのものである。エンコーダ８で変換された画像信号は液晶ディスプレイ９に出力される。
【００３２】
液晶ディスプレイ９は、エンコーダ８から出力されたデジタル画像信号を表示するためのものである。
【００３３】
サムネイル表示ボタン１０は、サムネイル画像の表示動作を開始させるためのボタンである。サムネイル表示ボタン１０の出力はＣＰＵ７に出力される。
【００３４】
表示設定ボタン１１は、記録媒体６に記録された画像信号についてサムネイル画像を表示させる際に、どのような表示モードで表示するのかを設定するボタンである。表示設定ボタン１１の出力はＣＰＵ７に出力される。
【００３５】
選択ボタン１２は、液晶ディスプレイ９上に表示されたサムネイル画像を選択するためのカーソルを移動させるボタンである。また、選択ボタン１２は液晶ディスプレイ９上に表示された電子カメラ１００の設定を行うためのメニューを選択するためのカーソルを移動させる。選択ボタン１２の出力はＣＰＵ７に出力される。
【００３６】
決定ボタン１３は、表示ディスプレイ９上に表示されたサムネイル画像や設定メニューの項目を決定するためのボタンである。決定ボタン１３の出力はＣＰＵ７に出力される。
【００３７】
削除ボタン１４は、デジタル画像信号の削除動作を行うためのボタンである。削除ボタン１４の出力はＣＰＵ７に出力される。
【００３８】
次に、第１実施形態における電子カメラの制御手順について、図４、図５、図６及び図７を用いて説明する。
【００３９】
まず、ステップＳ１において、サムネイル表示ボタン１０の入力の有無を検出する。サムネイル表示ボタン１０の入力が有る場合はサムネイル画像の表示動作を行うものと判別し、ステップＳ２に進む。また、サムネイル表示ボタン１０の入力が無い場合はサムネイル画像の表示は行わないものと判別しステップＳ１において待機する。
【００４０】
ステップＳ１においてサムネイル画像を表示すると判別するとステップＳ２に進む。ステップＳ２は、初期設定を行う。初期設定はコマ番号フラグｎを１に設定し、表示数フラグｉを０に設定する。また、液晶ディスプレイ９を図２に示したようなサムネイル画像の同時表示可能な最大枚数ｐで分割し、サムネイル画像の表示領域を定義する。ステップＳ２の処理が完了するとステップＳ３に進む。
【００４１】
次に、ステップＳ３において、記録媒体６に記録されたデジタル画像信号に対して、記録順に１から順にコマ番号をつける。また、ステップＳ２で定義したサムネイル画像の表示領域に対して、０からｐ−１までの領域コードをつける。ステップＳ３の処理が完了するとステップＳ４に進む。
【００４２】
次に、ステップＳ４において、コマ番号ｎのサムネイル画像を液晶ディスプレイ９上の領域コードｉの表示領域に表示させる。ステップＳ４の処理が完了するとステップＳ５に進む。
【００４３】
次に、ステップＳ５において、コマ番号フラグｎに１を加算する。また、表示数フラグｉに１を加算する。ステップＳ５の処理が完了するとステップＳ６に進む。
【００４４】
次に、ステップＳ６において、コマ番号ｎのつけられた画像信号が存在するかどうかを調査する。コマ番号ｎの画像信号が存在する場合はコマ番号ｎの画像信号は表示可能であると判別しステップＳ７に進む。また、コマ番号ｎの画像信号が存在しない場合はコマ番号ｎの画像信号は表示不可能であると判別しステップＳ１１に進む。
【００４５】
ステップＳ６においてコマ番号ｎの画像信号は表示可能であると判別するとステップＳ７に進む。ステップＳ７は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ８に進む。また、表示数フラグｉの値が同時表示可能な最大枚数ｐよりも小さい場合は、液晶ディスプレイ９上に新たなサムネイル画像を表示することは可能であると判別してステップＳ４に進む。ステップＳ４からステップＳ７の処理を行うことにより、図３に示すサムネイル画像の表示画面が得られる。
【００４６】
ステップＳ７において新たにサムネイル画像を表示することは不可能と判別するとステップＳ８に進む。ステップＳ８は、表示設定ボタン１１の入力の有無を検出する。表示設定ボタン１１の入力が有る場合は、サムネイル画像の表示設定を変更するものと判別し、ステップＳ９に進む。また、表示設定ボタン１１の入力が無い場合は、サムネイル画像の表示設定を変更しないものと判別し、ステップＳ１１に進む。
【００４７】
ステップＳ８においてサムネイル画像の表示設定を変更すると判別すると、ステップＳ９に進む。ステップＳ９は、サムネイル画像の表示設定メニューを液晶ディスプレイ９上に表示させる。サムネイル画像の表示設定メニューの一例を図５に示す。図５に示すように、第１実施形態の電子カメラ１００は、表示モードとして記録日付及び画面表示枚数の各モードを有している。電子カメラ１００は、図５に矢印で示した選択カーソルを選択ボタン１２で移動させ、決定ボタン１３で決定することによりサムネイル画像の表示モードを設定する。各表示モードについて図６及び図７を用いて説明する。
【００４８】
画面表示枚数モードは、記録媒体６に記録されたデジタル画像信号について液晶ディスプレイ９に同時に表示可能な最大枚数毎に１つサムネイル画像を表示するモードである。図６に画面表示枚数モードのサムネイル画像表示の例を示す。図６に示すように、画面表示枚数モードにおいては、１枚目に記録された画像信号から６枚目に記録された画像信号までの液晶ディスプレイに同時表示可能な最大枚数である６枚分の画像信号を表すサムネイル画像として１枚目の画像信号のサムネイル画像を表示させる。同様に、７枚目から１２枚目までの６枚分の画像信号を表すサムネイル画像として、７枚目の画像信号のサムネイル画像を表示し、１３枚目から１８枚目までの６枚分の画像信号を表すサムネイル画像として１３枚目の画像信号のサムネイル画像を表示する。
【００４９】
記録日付モードは、記録媒体６に記録されているデジタル画像信号を、記録日の情報に基づいて分別し、分別した日付毎にサムネイル画像を表示させるモードである。図７に記録日付モードのサムネイル画像表示の例を示す。図７に示すように、記録日付モードにおいては、１枚目の画像信号及び２枚目の画像信号が同一日に記録された画像信号とすると、この２枚分の画像信号を表すサムネイル画像として１枚目の画像信号のサムネイル画像を表示する。同様に、３枚目から６枚目までの画像信号が同一日に記録された画像信号とすると、この４枚分の画像信号を表すサムネイル画像として３枚目の画像信号のサムネイル画像を表示する。ステップＳ９の処理が完了するとステップＳ１０に進む。
【００５０】
次に、ステップＳ１０において、決定ボタン１３の入力が行われた時点の選択ボタン１２の状態を検出し、どのサムネイル表示設定が選択されたかを判別する。検出の結果サムネイル画像を液晶ディスプレイ９の表示可能枚数毎にまとめる表示設定が選択された場合はステップＳ１００に進む。また、サムネイル画像を記録媒体６に記録された日付毎に分別する表示設定が選択された場合はステップＳ２００に進む。
【００５１】
ステップＳ６においてコマ番号ｎの画像信号は表示不可能であると判別した場合、もしくはステップＳ８においてサムネイル画像の表示設定を変更しないと判別した場合は、ステップＳ１１に進む。ステップＳ１１は、決定ボタン１３の入力の有無を検出し、液晶ディスプレイ９上に表示されているサムネイル画像の中から再生表示を行う画像信号が指定されたかを判別する。決定ボタン１３の入力が有る場合は、再生表示を行う画像信号が指定されたものと判別し、ステップＳ１２に進む。また、決定ボタン１３の入力が無い場合は、再生表示を行う画像信号は指定されていないものと判別し、ステップＳ１１において待機する。
【００５２】
ステップＳ１０においてサムネイル画像を液晶ディスプレイ９の表示可能枚数毎にまとめる表示設定が選択された場合はステップＳ１００に進む。ステップＳ１００は、記録媒体６に記録された画像信号を所定枚数毎にまとめた上でサムネイル画像を表示させ、その中から再生表示を行う画像信号を指定する処理を行う。ステップＳ１００における処理については後で詳述する。ステップＳ１００における一連の処理が完了し、再生表示を行う画像信号が指定されるとステップＳ１２に進む。
【００５３】
ステップＳ１０においてサムネイル画像を記録媒体６に記録された日付毎に分別する表示設定が選択された場合はステップＳ２００に進む。ステップＳ２００は、記録媒体６に記録された画像信号を記録された日付毎に分別して、日付ごとにサムネイル画像を表示させ、その中から再生表示を行う画像信号を指定する処理を行う。ステップＳ２００における処理については後で詳述する。ステップＳ２００における一連の処理が完了し、再生表示を行う画像信号が指定されるとステップＳ１２に進む。
【００５４】
ステップＳ１１またはステップＳ１００またはステップＳ２００において再生表示を行う画像信号が指定されるとステップＳ１２に進む。ステップＳ１２は、指定されたサムネイル画像に対応する画像信号を記録媒体６から読み出し、圧縮回路５及びエンコーダ８を介して液晶ディスプレイ９に出力し、画像信号の再生表示を行う。ステップＳ８の処理が完了するとステップＳ１３に進む。
【００５５】
次に、ステップＳ１３において、削除ボタン１４の入力の有無を検出する。削除ボタン１４の入力が有る場合は、ステップＳ８において液晶ディスプレイに再生表示した画像信号の削除を行うものと判別し、ステップＳ１１４に進む。また、削除ボタン１４の入力が無い場合は、画像信号の削除は行わないものと判別して終了に進み、一連の処理を終了する。
【００５６】
ステップＳ１３において画像信号の削除を行うと判別すると、ステップＳ１４に進む。ステップＳ１４は、ステップＳ１２において液晶ディスプレイ９に表示された画像信号を記録媒体６から削除する。ステップＳ１４の処理が完了すると終了に進み、一連の処理を終了する。
【００５７】
次に、図４に示した制御手順のステップＳ１００におけるサムネイル画像表示処理の詳しい制御手順について、図８、図９及び図１０を用いて説明する。
【００５８】
図４のステップＳ６においてサムネイル画像を液晶ディスプレイ９の表示可能枚数毎にまとめる表示設定が選択された場合は図８のステップＳ１００に進む。
【００５９】
まずステップＳ１０１において初期設定を行う。初期設定はコマ番号フラグｎを１に設定する。また、表示数フラグｉを０に設定する。ステップＳ１０１の処理が完了するとステップＳ１０２に進む。
【００６０】
次に、ステップＳ１０２において、コマ番号ｎのサムネイル画像を液晶ディスプレイ９上の領域コードｉの表示領域に表示させる。ステップＳ１０２の処理が完了するとステップＳ１０３に進む。
【００６１】
次に、ステップＳ１０３において、コマ番号フラグｎにサムネイル画像の同時表示可能な最大枚数ｐを加算する。また、表示数フラグｉに１を加算する。ステップＳ１０３の処理が完了するとステップＳ１０４に進む。
【００６２】
次に、ステップＳ１０４において、コマ番号ｎのつけられた画像信号が存在するかどうかを調査する。コマ番号ｎの画像信号が存在する場合はコマ番号ｎの画像信号は表示可能であると判別しステップＳ１０５に進む。また、コマ番号ｎの画像信号が存在しない場合はコマ番号ｎの画像信号は表示不可能であると判別しステップＳ１１２に進む。
【００６３】
ステップＳ１０４においてコマ番号ｎの画像信号は表示可能であると判別するとステップＳ１０５に進む。ステップＳ１０５は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ１０６に進む。また、表示数フラグｉの値が同時表示可能な最大枚数ｐよりも小さい場合は、液晶ディスプレイ９上に新たなサムネイル画像を表示することは可能であると判別してステップＳ１０２に進む。ステップＳ１０２からステップＳ１０５の処理を行った結果の液晶ディスプレイ９の表示画面を図９に示す。図９に示すように、表示画面にはサムネイル画像３１、３２、３３、３４、３５、３６及びそのコマ番号ＰＩＣ０１、ＰＩＣ０７、ＰＩＣ１３、ＰＩＣ１９、ＰＩＣ２５、ＰＩＣ３１及び選択カーソルＳが表示される。コマ番号ＰＩＣ０１、ＰＩＣ０７、ＰＩＣ１３、ＰＩＣ１９、ＰＩＣ２５、ＰＩＣ３１は、それぞれ１枚目、７枚目、１３枚目、１９枚目、２５枚目、３１枚目に記録された画像信号のサムネイル画像であることを示している。このように、ステップＳ１０２からＳ１０５の処理を行うと、液晶ディスプレイ９には液晶ディスプレイ９の同時表示可能な最大枚数である６枚毎のサムネイル画像が記録順に表示される。
【００６４】
ステップＳ１０５において新たにサムネイル画像を表示することは不可能と判別するとステップＳ１０６に進む。ステップＳ１０６は、選択ボタン１２の入力を調査し、次ページ表示が指定されたかどうかを判別する。選択ボタン１２の入力が液晶ディスプレイ９上に表示されたサムネイル画像以外の位置へ選択カーソルを移動させようとした場合、例えば、図３において、選択カーソルがＡのサムネイル画像の位置に有るときに更に左に移動させようとする入力が有った場合は、次ページ表示が指定されたものと判別しステップＳ１０７に進む。また、選択ボタン１２の入力が無いか液晶ディスプレイ９上に表示されたサムネイル画像のいずれかにカーソルを移動させようとする入力が有った場合は、次ページ表示は指定されていないものと判別しステップＳ１１２に進む。
【００６５】
ステップＳ１０６において、次ページ表示指定された場合はステップＳ１０７に進む。ステップＳ１０７は、液晶ディスプレイ９上に表示されたサムネイル画像を全て消去する。また、表示数フラグｉを０に初期化する。ステップＳ１０７の処理が完了するとステップＳ１０８に進む。
【００６６】
次に、ステップＳ１０８において、コマ番号ｎのサムネイル画像を液晶ディスプレイ９上の領域コードｉの表示領域に表示させる。ステップＳ１０８の処理が完了するとステップＳ１０９に進む。
【００６７】
次に、ステップＳ１０９において、コマ番号フラグｎにサムネイル画像の同時表示可能な最大枚数ｐを加算する。また、表示数フラグｉに１を加算する。ステップＳ１０９の処理が完了するとステップＳ１１０に進む。
【００６８】
次に、ステップＳ１１０において、コマ番号ｎのつけられた画像信号が存在するかどうかを調査する。コマ番号ｎの画像信号が存在する場合はコマ番号ｎの画像信号は表示可能であると判別しステップＳ１１１に進む。また、コマ番号ｎの画像信号が存在しない場合はコマ番号ｎの画像信号は表示不可能であると判別しステップＳ１１２に進む。
【００６９】
ステップＳ１１０においてコマ番号ｎの画像信号は表示可能であると判別するとステップＳ１１１に進む。ステップＳ１１１は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ１１２に進む。また、表示数フラグｉの値が同時表示可能な最大枚数ｐよりも小さい場合は、液晶ディスプレイ９上に新たなサムネイル画像を表示することは可能であると判別してステップＳ１０８に進む。
【００７０】
ステップＳ１０４またはステップＳ１１０においてコマ番号ｎの画像信号は表示不可能であると判別した場合、もしくはステップＳ１０６において次ページ表示を行わないと判別した場合、もしくはステップＳ１１１において液晶ディスプレイ９上に新たにサムネイル画像を表示することは不可能と判別した場合はステップＳ１１２に進む。ステップＳ１１２は、決定ボタン１３の入力の有無を調査し、順次表示を行うサムネイル画像が指定されたかどうかを判別する。決定ボタン１３の入力が有る場合は、順次表示を行うサムネイル画像が指定されたものと判別してステップＳ１１３に進む。また、決定ボタン１３の入力が無い場合は、順次表示を行うサムネイル画像は指定されていないと判別してステップＳ１０６に進む。
【００７１】
ステップＳ１１２において順次表示を行うサムネイル画像が指定されたと判別した場合は、ステップＳ１１３に進む。ステップＳ１１３は、決定ボタン１３が入力された時点における選択カーソルの位置を参照し、指定されたサムネイル画像のコマ番号ｓを取得する。ステップＳ１１３の処理が完了するとステップＳ１１４に進む。
【００７２】
次に、ステップＳ１１４において、サムネイル画像の順次表示を行う前の設定として、コマ番号フラグｎを指定されたサムネイル画像のコマ番号ｓに設定する。また、液晶ディスプレイ９上に表示されたサムネイル画像を全て消去する。また、表示数フラグｉを０に初期化する。ステップＳ１１４の処理が完了するとステップＳ１１５に進む。
【００７３】
次に、ステップＳ１１５において、コマ番号ｎのサムネイル画像を液晶ディスプレイ９上の領域コードｉの表示領域に表示させる。ステップＳ１１５の処理が完了するとステップＳ１１６に進む。
【００７４】
次に、ステップＳ１１６において、コマ番号フラグｎに１を加算する。また、表示数フラグｉに１を加算する。ステップＳ１１６の処理が完了するとステップＳ１１７に進む。
【００７５】
次に、ステップＳ１１７において、コマ番号ｎのつけられた画像信号が存在するかどうかを調査する。コマ番号ｎの画像信号が存在する場合はコマ番号ｎの画像信号は表示可能であると判別しステップＳ１１８に進む。また、コマ番号ｎの画像信号が存在しない場合はコマ番号ｎの画像信号は表示不可能であると判別しステップＳ１２５に進む。
【００７６】
ステップＳ１１７においてコマ番号ｎの画像信号は表示可能であると判別するとステップＳ１１８に進む。ステップＳ１１８は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ１１９に進む。また、表示数フラグｉの値が同時表示可能な最大枚数ｐよりも小さい場合は、液晶ディスプレイ９上に新たなサムネイル画像を表示することは可能であると判別してステップＳ１１５に進む。ステップＳ１１３からステップＳ１１８の処理を行った結果の液晶ディスプレイ９の表示画面を図１０に示す。図１０は、図９に示すように選択カーソルＳがサムネイル画像３２の位置に有る状態で順次表示が指定された場合の表示画面を示している。図１０に示すように、表示画面にはサムネイル画像４１、４２、４３、４４、４５、４６及びそのコマ番号ＰＩＣ０７、ＰＩＣ０８、ＰＩＣ０９、ＰＩＣ１０、ＰＩＣ１１、ＰＩＣ１２及び選択カーソルＳが表示される。コマ番号ＰＩＣ０７、ＰＩＣ０８、ＰＩＣ０９、ＰＩＣ１０、ＰＩＣ１１、ＰＩＣ１２は、それぞれ７枚目、８枚目、９枚目、１０枚目、１１枚目、１２枚目に記録された画像信号のサムネイル画像であることを示している。このように、液晶ディスプレイ９には、順次表示が指定された７枚目の画像信号のサムネイル画像を基点として、記録順に１枚ずつサムネイル画像が表示される。
【００７７】
ステップＳ１１８において新たにサムネイル画像を表示することは不可能と判別するとステップＳ１１９に進む。ステップＳ１１９は、選択ボタン１２の入力を調査し、次ページ表示が指定されたかどうかを判別する。選択ボタン１２の入力が液晶ディスプレイ９上に表示されたサムネイル画像以外の位置へ選択カーソルを移動させようとした場合、例えば、図において、選択カーソルがＡのサムネイル画像の位置に有るときに更に左に移動させようとする入力が有った場合は、次ページ表示が指定されたものと判別しステップＳ１２０に進む。また、選択ボタン１２の入力が無いか液晶ディスプレイ９上に表示されたサムネイル画像のいずれかにカーソルを移動させようとする入力が有った場合は、次ページ表示は指定されていないものと判別しステップＳ１２５に進む。
【００７８】
ステップＳ１１９において、次ページ表示が指定された場合はステップＳ１２０に進む。ステップＳ１２０は、液晶ディスプレイ９上に表示されたサムネイル画像を全て消去する。また、表示数フラグｉを０に初期化する。ステップＳ１２０の処理が完了するとステップＳ１２１に進む。
【００７９】
次に、ステップＳ１２１において、コマ番号ｎのサムネイル画像を液晶ディスプレイ９上の領域コードｉの表示領域に表示させる。ステップＳ１２１の処理が完了するとステップＳ１２２に進む。
【００８０】
次に、ステップＳ１２２において、コマ番号フラグｎに１を加算する。また、表示数フラグｉに１を加算する。ステップＳ１２２の処理が完了するとステップＳ１２３に進む。
【００８１】
次に、ステップＳ１２３において、コマ番号ｎのつけられた画像信号が存在するかどうかを調査する。コマ番号ｎの画像信号が存在する場合はコマ番号ｎの画像信号は表示可能であると判別しステップＳ１２４に進む。また、コマ番号ｎの画像信号が存在しない場合はコマ番号ｎの画像信号は表示不可能であると判別しステップＳ１２５に進む。
【００８２】
ステップＳ１２３においてコマ番号ｎの画像信号は表示可能であると判別するとステップＳ１２４に進む。ステップＳ１２４は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ１２５に進む。また、表示数フラグｉの値が同時表示可能な最大枚数ｐよりも小さい場合は、液晶ディスプレイ９上に新たなサムネイル画像を表示することは可能であると判別してステップＳ１２１に進む。
【００８３】
ステップＳ１１７またはステップＳ１２３においてコマ番号ｎの画像信号は表示不可能であると判別した場合、もしくはステップＳ１１９において次ページ表示を行わないと判別した場合、もしくはステップＳ１２４において液晶ディスプレイ９上に新たにサムネイル画像を表示することは不可能と判別した場合はステップＳ１２５に進む。ステップＳ１２５は、決定ボタン１３の入力の有無を調査し、再生表示を行うサムネイル画像が指定されたかどうかを判別する。決定ボタン１３の入力が有る場合は、再生表示を行うサムネイル画像が指定されたものと判別してステップＳ８に進む。また、決定ボタン１３の入力が無い場合は、再生表示を行うサムネイル画像は指定されていないと判別してステップＳ１１９に進む。
【００８４】
次に、図４のステップＳ２００におけるサムネイル画像表示処理の詳しい制御手順について、図１１、図１２及び図１３を用いて説明する。
【００８５】
図４のステップＳ６においてサムネイル画像を記録された日付毎に分別する表示設定が選択された場合は図１１のステップＳ２００に進む。
【００８６】
まずステップＳ２０１において初期設定を行う。初期設定は日付番号フラグｄを１に設定する。また、日付コマ番号ｄｎを１に設定する。また、表示数フラグｉを０に設定する。ステップＳ２０１の処理が完了するとステップＳ２０２に進む。
【００８７】
次に、ステップＳ２０２において、記録媒体６に記録されたデジタル画像信号を記録日付毎に分別し、分別した画像信号に対して日付順に１から順に日付番号をつける。また、記録日付毎に記録順に１から順に日付コマ番号をつける。ステップＳ２０２の処理が完了するとステップＳ２０３に進む。
【００８８】
次に、ステップＳ２０３において、日付番号ｄでかつ日付コマ番号ｄｎが１のサムネイル画像を液晶ディスプレイ９上の領域コードｉの表示領域に表示させる。ステップＳ２０３の処理が完了するとステップＳ２０４に進む。
【００８９】
次に、ステップＳ２０４において、日付番号フラグｄに１をを加算する。また、表示数フラグｉに１を加算する。ステップＳ２０４の処理が完了するとステップＳ２０５に進む。
【００９０】
次に、ステップＳ２０５において、日付番号ｄのつけられた画像信号が存在するかどうかを調査する。日付番号ｄの画像信号が存在する場合は日付番号ｄの画像信号は表示可能であると判別しステップＳ２０６に進む。また、日付番号ｄの画像信号が存在しない場合は日付番号ｄの画像信号は表示不可能であると判別しステップＳ２１３に進む。
【００９１】
ステップＳ２０５において日付番号ｄの画像信号は表示可能であると判別するとステップＳ２０６に進む。ステップＳ２０６は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ２０７に進む。また、表示数フラグｉの値が同時表示可能な最大枚数ｐよりも小さい場合は、液晶ディスプレイ９上に新たなサムネイル画像を表示することは可能であると判別してステップＳ２０３に進む。ステップＳ２０３からステップＳ２０６の処理を行った結果の液晶ディスプレイ９の表示画面を図１２に示す。図１２に示すように、表示画面には、サムネイル画像５１ａ、５２ａ、５３ａ、５４ａ、５５ａ、５６ａ及びその記録日付５１ｂ、５２ｂ、５３ｂ、５４ｂ、５５ｂ、５６ｂ及び選択カーソルＳが表示される。記録日付５１ｂ、５２ｂ、５３ｂ、５４ｂ、５５ｂ、５６ｂは、サムネイル画像に対応する画像信号がそれぞれその日付に記録されたことを表している。図１２に示すように、液晶ディスプレイ９には、記録日付毎のサムネイル画像が記録順に表示される。
【００９２】
ステップＳ２０６において新たにサムネイル画像を表示することは不可能と判別するとステップＳ２０７に進む。ステップＳ２０７は、選択ボタン１２の入力を調査し、次ページ表示が指定されたかどうかを判別する。選択ボタン１２の入力が液晶ディスプレイ９上に表示されたサムネイル画像以外の位置へ選択カーソルを移動させようとした場合、例えば、図において、選択カーソルがＡのサムネイル画像の位置に有るときに更に左に移動させようとする入力が有った場合は、次ページ表示が指定されたものと判別しステップＳ１０８に進む。また、選択ボタン１２の入力が無いか液晶ディスプレイ９上に表示されたサムネイル画像のいずれかにカーソルを移動させようとする入力が有った場合は、次ページ表示は指定されていないものと判別しステップＳ２１３に進む。
【００９３】
ステップＳ２０７において、次ページ表示が指定された場合はステップＳ２０８に進む。ステップＳ２０８は、液晶ディスプレイ９上に表示されたサムネイル画像を全て消去する。また、表示数フラグｉを０に初期化する。ステップＳ２０８の処理が完了するとステップＳ２０９に進む。
【００９４】
次に、ステップＳ２０９において、日付番号ｄでかつ日付コマ番号ｄｎが１のサムネイル画像を液晶ディスプレイ９上の領域コードｉの表示領域に表示させる。ステップＳ２０９の処理が完了するとステップＳ２１０に進む。
【００９５】
次に、ステップＳ２１０において、日付番号フラグｄに１を加算する。また、表示数フラグｉに１を加算する。ステップＳ２１０の処理が完了するとステップＳ２１１に進む。
【００９６】
次に、ステップＳ２１１において、日付番号ｄのつけられた画像信号が存在するかどうかを調査する。日付番号ｄの画像信号が存在する場合は日付番号ｄの画像信号は表示可能であると判別しステップＳ２１２に進む。また、日付番号ｄの画像信号が存在しない場合は日付番号ｄの画像信号は表示不可能であると判別しステップＳ２１３に進む。
【００９７】
ステップＳ２１１において日付番号ｄの画像信号は表示可能であると判別するとステップＳ２１２に進む。ステップＳ２１２は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ２１３に進む。また、表示数フラグｉの値が同時表示可能な最大枚数ｐよりも小さい場合は、液晶ディスプレイ９上に新たなサムネイル画像を表示することは可能であると判別してステップＳ２０９に進む。
【００９８】
ステップＳ２０５またはステップＳ２１１において日付番号ｄの画像信号は表示不可能であると判別した場合、もしくはステップＳ２０７において次ページ表示を行わないと判別した場合、もしくはステップＳ２１２において液晶ディスプレイ９上に新たにサムネイル画像を表示することは不可能と判別した場合はステップＳ２１３に進む。ステップＳ２１３は、決定ボタン１３の入力の有無を調査し、順次表示を行うサムネイル画像が指定されたかどうかを判別する。決定ボタン１３の入力が有る場合は、日付毎の個別表示を行うサムネイル画像が指定されたものと判別してステップＳ２１４に進む。また、決定ボタン１３の入力が無い場合は、日付毎の個別表示を行うサムネイル画像は指定されていないと判別してステップＳ２０７に進む。
【００９９】
ステップＳ２１３において日付毎の個別表示を行うサムネイル画像が指定されたと判別した場合は、ステップＳ２１４に進む。ステップＳ２１４は、決定ボタン１３が入力された時点における選択カーソルの位置を参照し、指定されたサムネイル画像の日付番号ｔを取得する。ステップＳ２１４の処理が完了するとステップＳ２１５に進む。
【０１００】
次に、ステップＳ２１５において、サムネイル画像の日付毎の個別表示を行う前の設定として、日付番号フラグｄを指定されたサムネイル画像の日付番号ｔに設定する。また、液晶ディスプレイ９上に表示されたサムネイル画像を全て消去する。また、表示数フラグｉを０に初期化する。ステップＳ２１５の処理が完了するとステップＳ２１６に進む。
【０１０１】
次に、ステップＳ２１６において、日付番号ｄかつ日付コマ番号ｄｎのサムネイル画像を液晶ディスプレイ９上の領域コードｉの表示領域に表示させる。ステップＳ２１６の処理が完了するとステップＳ２１７に進む。
【０１０２】
次に、ステップＳ２１７において、日付コマ番号フラグｄｎに１を加算する。また、表示数フラグｉに１を加算する。ステップＳ２１７の処理が完了するとステップＳ２１８に進む。
【０１０３】
次に、ステップＳ２１８において、日付番号ｄでかつ日付コマ番号ｄｎのつけられた画像信号が存在するかどうかを調査する。日付番号ｄかつ日付コマ番号ｄｎの画像信号が存在する場合は日付番号ｄかつ日付コマ番号ｄｎの画像信号は表示可能であると判別しステップＳ２１９に進む。また、日付番号ｄかつ日付コマ番号ｄｎの画像信号が存在しない場合は日付番号ｄかつ日付コマ番号ｄｎの画像信号は表示不可能であると判別しステップＳ２２６に進む。
【０１０４】
ステップＳ２１８において日付番号ｄかつ日付コマ番号ｄｎの画像信号は表示可能であると判別するとステップＳ２１９に進む。ステップＳ２１９は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ２２０に進む。また、表示数フラグｉの値が同時表示可能な最大枚数ｐよりも小さい場合は、液晶ディスプレイ９上に新たなサムネイル画像を表示することは可能であると判別してステップＳ２１６に進む。ステップＳ２１４からステップＳ２１９の処理を行った結果の液晶ディスプレイ９の表示画面を図１３に示す。図１３は、図１２に示すように選択カーソルＳがサムネイル画像５２ａの位置に有る状態で順次表示が指定された場合の表示画面を示している。図１３に示すように、表示画面にはサムネイル画像６１ａ、６２ａ、６３ａ、６４ａ、６５ａ及びそのコマ番号６１ｂ、６２ｂ、６３ｂ、６４ｂ、６５ｂ及び選択カーソルＳが表示される。コマ番号６１ｂ、６２ｂ、６３ｂ、６４ｂ、６５ｂは、その画像が撮影された日付及び日付コマ番号で構成され、図１３においてはそれぞれ９８／１／３に撮影された画像の１枚目、２枚目、３枚目、４枚目、５枚目に記録された画像信号のサムネイル画像であることを示している。このように、液晶ディスプレイ９には、日付毎の個別表示が指定された９８／１／３の画像信号のサムネイル画像が記録順に１枚ずつ表示される。
【０１０５】
ステップＳ２１９において新たにサムネイル画像を表示することは不可能と判別するとステップＳ２２０に進む。ステップＳ２２０は、選択ボタン１２の入力を調査し、次ページ表示が指定されたかどうかを判別する。選択ボタン１２の入力が液晶ディスプレイ９上に表示されたサムネイル画像以外の位置へ選択カーソルを移動させようとした場合、例えば、図において、選択カーソルがＡのサムネイル画像の位置に有るときに更に左に移動させようとする入力が有った場合は、次ページ表示が指定されたものと判別しステップＳ２２１に進む。また、選択ボタン１２の入力が無いか液晶ディスプレイ９上に表示されたサムネイル画像のいずれかにカーソルを移動させようとする入力が有った場合は、次ページ表示は指定されていないものと判別しステップＳ２２６に進む。
【０１０６】
ステップＳ２２０において、次ページ表示指定された場合はステップＳ２２１に進む。ステップＳ２２１は、液晶ディスプレイ９上に表示されたサムネイル画像を全て消去する。また、表示数フラグｉを０に初期化する。ステップＳ２２１の処理が完了するとステップＳ２２２に進む。
【０１０７】
次に、ステップＳ２２２において、日付番号ｄでかつ日付コマ番号ｄｎのサムネイル画像を液晶ディスプレイ９上の領域コードｉの表示領域に表示させる。ステップＳ２２２の処理が完了するとステップＳ２２３に進む。
【０１０８】
次に、ステップＳ２２３において、日付コマ番号フラグｄｎに１を加算する。また、表示数フラグｉに１を加算する。ステップＳ２２３の処理が完了するとステップＳ２２４に進む。
【０１０９】
次に、ステップＳ２２４において、日付番号ｄでかつ日付コマ番号ｄｎのつけられた画像信号が存在するかどうかを調査する。日付番号ｄかつ日付コマ番号ｄｎの画像信号が存在する場合は日付番号ｄかつ日付コマ番号ｄｎの画像信号は表示可能であると判別しステップＳ２２５に進む。また、日付番号ｄかつ日付コマ番号ｄｎの画像信号が存在しない場合は日付番号ｄかつ日付コマ番号ｄｎの画像信号は表示不可能であると判別しステップＳ２２６に進む。
【０１１０】
ステップＳ２２４において日付番号ｄかつ日付コマ番号ｄｎの画像信号は表示可能であると判別するとステップＳ２２５に進む。ステップＳ２２５は、表示数フラグｉの値とサムネイル画像の同時表示可能な最大枚数ｐとを比較し、液晶ディスプレイ９上にまだサムネイル画像が表示可能かどうかを判別する。表示数フラグｉの値が同時表示可能な最大枚数ｐと等しい場合は、液晶ディスプレイ９上に新たにサムネイル画像を表示することは不可能と判別してステップＳ２２６に進む。また、表示数フラグｉの値が同時表示可能な最大枚数ｐよりも小さい場合は、液晶ディスプレイ９上に新たなサムネイル画像を表示することは可能であると判別してステップＳ２２２に進む。
【０１１１】
ステップＳ２１８またはステップＳ２２４において日付番号ｄかつ日付コマ番号ｄｎの画像信号は表示不可能であると判別した場合、もしくはステップＳ２２０において次ページ表示を行わないと判別した場合、もしくはステップＳ２２５において液晶ディスプレイ９上に新たにサムネイル画像を表示することは不可能と判別した場合はステップＳ２２６に進む。ステップＳ２１３は、決定ボタン１３の入力の有無を調査し、再生表示を行うサムネイル画像が指定されたかどうかを判別する。決定ボタン１３の入力が有る場合は、再生表示を行うサムネイル画像が指定されたものと判別してステップＳ８に進む。また、決定ボタン１３の入力が無い場合は、再生表示を行うサムネイル画像は指定されていないと判別してステップＳ２２０に進む。
【０１１２】
次に、本発明の第２実施形態について、図１４及び図１５を用いて説明する。
【０１１３】
図１４は第２実施形態の電子カメラにおいて画面表示枚数毎にサムネイル画像を表示する際の制御手順を示すフローチャート図である。
【０１１４】
図１５は第２実施形態の電子カメラにおいて画面表示枚数毎に表示されたサムネイル画像から画像を指定して個別表示を行った場合の表示画面を示す説明図である。
【０１１５】
尚、第２実施形態においては、第１実施形態とはサムネイル画像の表示設定を行う際の制御手順が異なるのみであり、装置の構成については第１実施形態と同一であるため、ここでは制御手順についてのみ説明する。
【０１１６】
第２実施形態におけるＣＰＵ７の制御手順について、図１４及び図１５を用いて説明する。
【０１１７】
図１４において、ステップＳ３０１からステップＳ３１１までの処理は、図８に示す第１実施形態における制御手順のステップＳ１０１からステップＳ１１１までの処理と同一であるため、説明を省略する。
【０１１８】
ステップＳ３０４またはステップＳ３１０においてコマ番号ｎの画像信号は表示不可能であると判別した場合、もしくはステップＳ３０６において次ページ表示を行わないと判別した場合、もしくはステップＳ３１１において液晶ディスプレイ９上に新たにサムネイル画像を表示することは不可能と判別した場合はステップＳ３１２に進む。ステップＳ３１２は、決定ボタン１３の入力の有無を調査し、更新表示を行うサムネイル画像が指定されたかどうかを判別する。決定ボタン１３の入力が有る場合は、更新表示を行うサムネイル画像が指定されたものと判別してステップＳ３１３に進む。また、決定ボタン１３の入力が無い場合は、更新表示を行うサムネイル画像は指定されていないと判別してステップＳ３０６に進む。
【０１１９】
ステップＳ３１２において更新表示を行うサムネイル画像が指定されたと判別した場合は、ステップＳ３１３に進む。ステップＳ３１３は、決定ボタン１３が入力された時点における選択カーソルの位置を参照し、指定されたサムネイル画像のコマ番号ｓ及び、指定されたサムネイル画像が表示されている液晶ディスプレイ上の領域コードｕを取得する。ステップＳ３１３の処理が完了するとステップＳ３１４に進む。
【０１２０】
次に、ステップＳ３１４において、サムネイル画像の更新表示を行う前の設定として、コマ番号フラグｎを指定されたサムネイル画像のコマ番号ｓに設定する。ステップＳ３１４の処理が完了するとステップＳ３１５に進む。
【０１２１】
次に、ステップＳ３１５において、選択ボタン１２の入力の有無を検出することにより、サムネイル画像の更新表示が指定されたかどうかを判別する。選択ボタン１２の入力が有る場合はサムネイル画像の更新表示を行うと判別し、ステップＳ３１６に進む。また、選択ボタン１２の入力が無い場合はサムネイル画像の更新表示は行わないと判別し、ステップＳ３１８に進む。
【０１２２】
ステップＳ３１５においてサムネイル画像の更新表示を行うと判別するとステップＳ３１６に進む。ステップＳ３１６は、選択ボタン１２の入力に応じてコマ番号フラグｎを加算もしくは減算する。ステップＳ３１６の処理が完了するとステップＳ３１７に進む。
【０１２３】
次に、ステップＳ３１７において、コマ番号ｎのサムネイル画像を液晶ディスプレイ上の領域コードｕの表示領域に上書きする形で更新表示する。ステップＳ３１７の処理が完了するとステップＳ３１８に進む。
【０１２４】
ステップＳ３１５においてサムネイル画像の更新表示を行わないと判別した場合、もしくはステップＳ３１７の処理が完了するとステップＳ３１８に進む。ステップＳ３１８は、決定ボタン１３の入力の有無を調査し、再生表示を行うサムネイル画像が指定されたかどうかを判別する。決定ボタン１３の入力が有る場合は、再生表示を行うサムネイル画像が指定されたものと判別して図４のステップＳ８に進む。また、決定ボタン１３の入力が無い場合は、再生表示を行うサムネイル画像は指定されていないと判別してステップＳ３１５に進む。
【０１２５】
尚、第１及び第２実施形態においては、デジタル画像信号を液晶ディスプレイ９上に再生表示した後の処理としてデジタル画像信号の削除をおこなっているが、画像信号を再生表示後の処理は画像信号の削除に限定されるものではなく、画像信号の再生表示後にデジタル画像信号を電子カメラ１００に接続した不図示の外部機器に転送するようにしてもよい。
【０１２６】
また、第１及び第２実施形態においては記録媒体６から読み出したデジタル画像信号をＤＳＰ回路４で間引き処理することでサムネイル画像を作成しているが、サムネイル画像については記録媒体６に記録を行う前にあらかじめ作成しておき、もとのデジタル画像信号と関連付けて記録媒体６に記録し、サムネイル画像表示時にはあらかじめ作成したサムネイル画像を記録媒体６から読み出すようにしてもよい。
【０１２７】
また、第１及び第２実施形態においては、画像信号をまとめる条件として液晶ディスプレイ９の画面表示枚数及び記録媒体６における記録日付でまとめているが、画像信号をまとめる条件としては、他にもＤＳＰ回路４におけるホワイトバランス処理のモードや、圧縮回路５における圧縮処理のモード、また撮影時におけるストロボ発光有無等で画像信号をまとめてもよい。これらの条件でサムネイル画像を表示する場合の制御手順は、図１１に示した記録日付毎にサムネイル画像を表示する場合の制御手順を条件を変えて用いればよい。
【０１２８】
また、第１及び第２実施形態においては同一条件に属する何枚かの画像信号を表すサムネイル画像として記録順が最先の画像信号のサムネイル画像を表示しているが、本実施形態の方法では１枚のサムネイル画像に何枚の画像信号が含まれているのかを確認することは不可能である。そのため、図１６及び図１７に示すように、同一条件に属する画像信号を合成して１つのサムネイル画像を作成してもよい。図１６及び図１７は、６つの画像信号がまとめられた状態を１つのサムネイル画像で表す場合の一例である。図１６及び図１７に示すように、ある条件でまとめられた画像信号を表すサムネイル画像は、図１６に示すように、特に代表する画像信号を決めないで合成表示してもよいし、図１７に示すように代表する画像信号を１つ決めて大きめに表示し、その周りにまとめられた画像信号を付随させて合成表示してもよい。
【０１２９】
また、第１及び第２実施形態においてはサムネイル画像の表示設定として、サムネイル画像を液晶ディスプレイ９の画面表示枚数毎もしくは記録媒体６における画像信号の記録日付毎にまとめて表示を行っている。しかし、図１８に概念図を示すように、第１実施形態もしくは第２実施形態で行った制御をある条件でまとめたサムネイル画像に対しても行うことで、画像信号を２重にまとめた状態をサムネイル画像で表示するようにしてもよい。この際、画像をまとめるための条件は、１回目と２回目で同じ条件でもよいし、１回目と２回目とで異なる条件でもよい。
【０１３０】
尚、第１及び第２実施形態におけるＣＣＤ１は、本発明の請求項に記載の撮像手段に対応する。
【０１３１】
また、第１及び第２実施形態における記録媒体６は、本発明の請求項に記載の記録手段に対応する。
【０１３２】
また、第１及び第２実施形態におけるＣＰＵ７は、本発明の請求項に記載の表示制御手段に対応する。
【０１３３】
また、第１及び第２実施形態における液晶ディスプレイ９は、本発明の請求項に記載の表示手段に対応する。
【０１３４】
また、第１及び第２実施形態における選択ボタン１２は、本発明の請求項に記載の選択手段に対応する。
【０１３５】
また、第１及び第２実施形態における決定ボタン１３は、本発明の請求項に記載の指定手段に対応する。
【０１３６】
尚、第１及び第２実施形態においては電子カメラを用いて実施形態の説明を行ったが、本発明については画像信号のサムネイル画像を表示する機器であれば、特に電子カメラに限定される必要は無い。
【０１３７】
以上のように本発明によれば、サムネイル画像の表示モードを設定可能とすることで、記録媒体が大容量となっても記録順にサムネイル画像を探すことなく容易、迅速に画像信号の検索を行うことが可能になる。
【図面の簡単な説明】
【０１３８】
【図１】図１は第１実施形態の電子カメラの構成を示すブロック図である。
【図２】図２は第１実施形態の電子カメラにおいて液晶ディスプレイにおけるサムネイル画像の表示エリアをを示す説明図である。
【図３】図３は第１実施形態の電子カメラにおけるサムネイル画像の表示画面を示す説明図である。
【図４】図４は第１実施形態の電子カメラの制御手順を示すフローチャート図である。
【図５】図５は第１実施形態の電子カメラにおけるサムネイル表示設定のメニュー表示例を示す説明図である。
【図６】図６は第１実施形態の電子カメラにおいて画面表示枚数毎にサムネイル画像を表示する場合の画像の関係を示す概念図である。
【図７】図７は第１実施形態の電子カメラにおいて画像の記録日付毎にサムネイル画像を表示する場合の画像の関係を示す概念図である。
【図８】図８は第１実施形態の電子カメラにおいて画面表示枚数毎にサムネイル画像を表示する際の制御手順を示すフローチャート図である。
【図９】図９は第１実施形態の電子カメラにおいて画面表示枚数毎にサムネイル画像を表示する場合の表示画面を示す説明図である。
【図１０】図１０は第１実施形態の電子カメラにおいて画面表示枚数毎に表示されたサムネイル画像から画像を指定して個別表示を行った場合の表示画面を示す説明図である。
【図１１】図１１は第１実施形態の電子カメラにおいて画像の記録日付毎にサムネイル画像を表示する際の制御手順を示すフローチャート図である。
【図１２】図１２は第１実施形態の電子カメラにおいて画像の記録日付毎にサムネイル画像を表示する場合の表示画面を示す説明図である。
【図１３】図１３は第１実施形態の電子カメラにおいて記録日付毎に表示されたサムネイル画像から画像を指定して日付毎の個別表示を行った場合の表示画面を示す説明図である。
【図１４】図１４は第２実施形態の電子カメラにおいて画面表示枚数毎にサムネイル画像を表示する際の制御手順を示すフローチャート図である。
【図１５】図１５は第２実施形態の電子カメラにおいて画面表示枚数毎に表示されたサムネイル画像から画像を指定して個別表示を行った場合の表示画面を示す説明図である。
【図１６】図１６は第１及び第２実施形態におけるサムネイル画像の応用例を示す説明図である。
【図１７】図１７は第１及び第２実施形態におけるサムネイル画像の応用例を示す説明図である。
【図１８】図１８は第１及び第２実施形態におけるサムネイル画像の表示制御の応用例を示す概念図である。
【符号の説明】
【０１３９】
１：ＣＣＤ
２：ＣＤＳ回路
３：Ａ／Ｄ変換器
４：ＤＳＰ回路
５：圧縮回路
６：記録媒体
７：ＣＰＵ
８：エンコーダ
９：液晶ディスプレイ
１０：サムネイル表示ボタン
１１：表示設定ボタン
１２：選択ボタン
１３：決定ボタン
１４：削除ボタン
２１，２２，２３，２４，２５，２６
３１，３２，３３，３４，３５，３６
４１，４２，４３，４４，４５，４６
５１ａ，５２ａ，５３ａ，５４ａ，５５ａ，５６ａ
６１ａ，６２ａ，６３ａ，６４ａ，６５ａ
７１，７２，７３，７４，７５，７６：サムネイル画像
１００：電子カメラ
Ｓ：選択カーソル
【図１】
2008099262.tif 000003
【図２】
2008099262.tif 000004
【図３】
2008099262.tif 000005
【図４】
2008099262.tif 000006
【図５】
2008099262.tif 000007
【図６】
2008099262.tif 000008
【図７】
2008099262.tif 000009
【図８】
2008099262.tif 000010
【図９】
2008099262.tif 000011
【図１０】
2008099262.tif 000012
【図１１】
2008099262.tif 000013
【図１２】
2008099262.tif 000014
【図１３】
2008099262.tif 000015
【図１４】
2008099262.tif 000016
【図１５】
2008099262.tif 000017
【図１６】
2008099262.tif 000018
【図１７】
2008099262.tif 000019
【図１８】
2008099262.tif 000020